(57)【要約】【課題】携帯機の電池が異常に消耗する事態を防止する。【解決手段】車両周辺の携帯機に対して呼出信号を送信し、呼出信号に対する応答信号を受信した場合には、認証要求信号を送信して、認証要求信号に対する認証信号を受信したら、その認証信号を用いて携帯機を認証する。ここで、認証要求信号を送信するに際しては、呼出信号よりも大きな信号強度で送信する。こうすれば、携帯機が呼出信号は受信できるので応答信号を返信するが、認証要求信号は受信できないので認証信号を返信せず、車両側から何度も呼出信号が送信されることが生じない。その結果、車両側から何度も送信される呼出信号に対して携帯機が応答信号を返信してしまい、携帯機の電池が急に消耗する事態を回避することができる。【選択図】図９
2019004202.tif 000002
【特許請求の範囲】
【請求項１】
車両（１）の周辺に存在する携帯機（１０）との間で無線通信することによって、前記携帯機を認証する車載認証装置（１００）であって、
前記携帯機との間で無線通信する無線通信部（１０１）と、
前記車両の周辺に存在する前記携帯機に対して応答信号の返信を要求する呼出信号を、前記無線通信部を介して送信する呼出信号送信部（１０２）と、
前記無線通信部を介して前記応答信号が受信されると、認証信号の返信を要求する認証要求信号を、前記無線通信部を介して送信する認証要求信号送信部（１０３）と、
前記無線通信部を介して前記認証信号が受信されると、該認証信号を送信した前記携帯機を、前記認証信号に基づいて認証する認証実行部（１０４）と
を備え、
前記無線通信部は、前記認証要求信号を、前記呼出信号よりも大きな信号強度で送信する
ことを特徴とする車載認証装置。
【請求項２】
請求項１に記載の車載認証装置であって、
前記認証要求信号を送信したにも拘わらず、該認証要求信号に対する前記認証信号を受信できない無認証信号状態を検出する無認証信号状態検出部（１０５）と、
前記無認証信号状態が検出されると、前記認証要求信号の信号強度が前記呼出信号の信号強度よりも大きくなるように、前記呼出信号または前記認証要求信号の少なくとも一方の信号強度を変更する信号強度変更部（１０６）と
を備えることを特徴とする車載認証装置。
【請求項３】
請求項２に記載の車載認証装置であって、
前記信号強度変更部は、前記認証要求信号の信号強度を増加させることによって、前記認証要求信号の信号強度を前記呼出信号の信号強度よりも大きくする
ことを特徴とする車載認証装置。
【請求項４】
請求項２に記載の車載認証装置であって、
前記信号強度変更部は、前記呼出信号の信号強度を減少させることによって、前記認証要求信号の信号強度を前記呼出信号の信号強度よりも大きくする
ことを特徴とする車載認証装置。
【請求項５】
請求項２ないし請求項４の何れか一項に記載の車載認証装置であって、
前記信号強度変更部は、前記無認証信号状態が連続して所定回数検出された場合に、前記呼出信号または前記認証要求信号の少なくとも一方の信号強度を変更する
ことを特徴とする車載認証装置。
【請求項６】
請求項５に記載の車載認証装置であって、
前記信号強度変更部は、前記増加させた信号強度で前記認証要求信号が所定回数送信された後は、前記信号強度を標準の信号強度に復帰させる
ことを特徴とする車載認証装置。
【請求項７】
車両（１）の周辺に存在する携帯機（１０）との間で無線通信することによって、前記携帯機を認証する携帯機認証方法であって、
前記車両の周辺に存在する前記携帯機に対して応答信号の返信を要求する呼出信号を送信する工程（Ｓ１０１、Ｓ１５６）と、
前記応答信号が受信されたか否かを判断する工程（Ｓ１０２、Ｓ１５７）と、
前記応答信号が受信された場合に、認証信号の返信を要求する認証要求信号を、前記呼出信号よりも大きな信号強度で送信する工程（Ｓ１０７、Ｓ１０８、Ｓ１５３、Ｓ１５６）と、
前記認証信号が受信されると、該認証信号を送信した前記携帯機を、前記認証信号に基づいて認証する工程（Ｓ１１２）と
を備える携帯機認証方法。
【発明の詳細な説明】
【技術分野】
【０００１】
本発明は、車両の周辺に存在する携帯機との間で無線通信することによって、携帯機を認証する技術に関する。
【背景技術】
【０００２】
車両に乗り込む際に、いちいち鍵を取り出して扉を解錠する煩わしさを解消するために、車両が鍵の接近を検出して自動で扉を解錠するパッシブエントリーと呼ばれる技術が開発されて、現在では広く使用されている。
この技術では、車両に搭載されて認証機能を有する無線通信機（以下、車載認証装置）が、車両に乗り込もうとする人間が携帯する小型の無線通信機（以下、携帯機）と通信して、その携帯機が正規の携帯機であるか否かを認証する。そして、認証が通って正規の携帯機であると判断した場合には、車両の扉を解錠、あるいは解錠を準備するようになっている。
【０００３】
こうしたことを実現するために、車載認証装置は、周囲に存在する携帯機に対して呼出信号（いわゆるＷａｋｅ信号）を一定周期で送信しており、車載認証装置からの呼出信号を受信した携帯機は応答信号（いわゆるＡｃｋ信号）を送信するようになっている。仮に、周囲に携帯機が存在していればその携帯機からの応答信号が戻ってくるので、車載認証装置は、応答信号の有無によって周囲に存在する携帯機の有無を判断することができる。そして周囲に携帯機が存在していた場合には、車載認証装置は、認証信号の返信を要求する認証要求信号（いわゆるＣｈａｌｌｅｎｇｅ信号）を送信し、認証要求信号を受け取った携帯機は、要求された認証信号（いわゆるＲｅｓｐｏｎｓｅ信号）を送信する。車載認証装置は、この認証信号を用いて携帯機を認証して、認証が通った場合は、その旨を、扉の解錠を制御する車載機に出力する。
また、認証が通った場合は、正規の携帯機が周囲に存在していることになるので、それ以降は、一定周期での呼出信号の送信は不要となる。これに対して、認証が通らなかった場合は、車載認証装置は正規の携帯機が接近してくる場合に備えて、一定周期での呼出信号の送信を継続する。
【０００４】
このように車載認証装置が携帯機を認証するためには、車載認証装置と携帯機とが無線通信する必要がある。特に、携帯機は携帯されて使用される関係上、電力が電池によって賄われるので、電池の消耗を抑制することが強く要請されている。
そこで、携帯機が使用時には携帯されることに着目して、携帯機に振動センサーを内蔵しておき、振動が検知されない場合は携帯機が使用されていないものと判断して、車載認証装置からの呼出信号を受信しても応答信号を送信しないようにする技術が提案されている（特許文献１）。この提案の技術では、携帯機が机の上に置かれている場合など、使用されていない状況では、車載認証装置からの呼出信号を受信する度に応答信号を返信してしまい、電池を消耗させる事態を防止することができる。
【先行技術文献】
【特許文献】
【０００５】
【特許文献１】特開２０１２−２２７５８６号公報
【発明の概要】
【発明が解決しようとする課題】
【０００６】
しかし、上述した提案の技術を用いた場合でも、依然として携帯機の電池が異常に消耗する事態が散見されているという問題があった。
【０００７】
この発明は、従来技術が有する上述した課題に鑑みてなされたものであり、携帯機の電池の消耗をより確実に防止することが可能な技術の提供を目的とする。
【課題を解決するための手段】
【０００８】
上述した問題を解決するために本発明の車載認証装置および携帯機認証方法は、車両の周辺に存在する携帯機に対して応答信号の返信を要求する呼出信号を送信し、呼出信号に対する応答信号を受信した場合には、認証信号の返信を要求する認証要求信号を送信する。そして、認証信号を受信したら、その認証信号を送信してきた携帯機を、認証信号に基づいて認証する。ここで、認証要求信号を送信するに際しては、呼出信号よりも大きな信号強度で送信する。
【０００９】
一般的に、認証要求信号は呼出信号に比べてデータ量が多くなっている。このため、携帯機の状態によっては、認証要求信号を受信している間に受信感度が低下してしまい、認証要求信号の受信を完了できずに、認証信号を返信できないことがあり、このことが原因となって、携帯機の電池が急に消耗する可能性があることが判明した。そこで、認証要求信号の信号強度が、呼出信号の信号強度よりも大きくなるようにしておけば、呼出信号は受信できるのに、認証要求信号は受信できない事態の発生を防止することができる。その結果、携帯機の電池が急に消耗する事態を回避することが可能となる。
【図面の簡単な説明】
【００１０】
【図１】車両１に搭載された車載認証装置１００が無線で通信することによってユーザーの携帯機１０を認証する様子を例示した説明図である。
【図２】本実施例の車載認証装置１００の内部構造を示した説明図である。
【図３】車載認証装置１００と認証する際の携帯機１０の動作を示した説明図である。
【図４】車載認証装置１００が携帯機１０を認証する通常の状況を示した説明図である。
【図５】車載認証装置１００が携帯機１０を認証する際に携帯機１０の電池が消耗する状況を示した説明図である。
【図６】本実施例の車載認証装置１００が携帯機１０を認証する携帯機認証処理の前半部分のフローチャートである。
【図７】本実施例の携帯機認証処理の後半の一部を示したフローチャートである。
【図８】本実施例の携帯機認証処理の後半の残りの部分を示したフローチャートである。
【図９】本実施例の車載認証装置１００では認証時に携帯機１０の電池が消耗する事態を回避可能な理由を示した説明図である。
【図１０】変形例の携帯機認証処理の前半部分のフローチャートである。
【図１１】変形例の携帯機認証処理の後半の一部を示したフローチャートである。
【図１２】変形例の携帯機認証処理の後半の残りの部分を示したフローチャートである。
【図１３】変形例の車載認証装置１００で認証時に携帯機１０の電池が消耗する事態を回避可能な理由を示した説明図である。
【発明を実施するための形態】
【００１１】
以下では、上述した本願発明の内容を明確にするために実施例について説明する。
【００１２】
Ａ．装置構成  ：
図１には、車両１に搭載された本実施例の車載認証装置１００がユーザーの携帯機１０を認証する様子が例示されている。図示されるように車載認証装置１００は、車両１の周辺に存在する携帯機１０に対して応答信号の返信を要求する呼出信号（いわゆるＷａｋｅ信号）を、定期的に送信している。図１（ａ）のように、車載認証装置１００からの電波の到達範囲内に携帯機１０が存在しない場合は、呼出信号が届かないので携帯機１０から応答信号が送信されることはない。ところが、図１（ｂ）のように、車載認証装置１００からの電波の到達範囲内に携帯機１０が入ると、携帯機１０が車載認証装置１００からの呼出信号を受信して、呼出信号に対する応答信号（いわゆるＡｃｋ信号）を送信する。
車載認証装置１００は、この応答信号を受信すると、電波の到達範囲内まで携帯機１０が近付いてきたことを認識し、その携帯機１０を認証するために、図１（ｃ）のように、認証信号の返信を要求する認証要求信号（いわゆるＣｈａｌｌｅｎｇｅ信号）を送信する。すると、携帯機１０からは認証信号（いわゆるＲｅｓｐｏｎｓｅ信号）が送信されてくるので、車載認証装置１００は、この認証信号に基づいて携帯機１０を認証する。
このように、車両１側の車載認証装置１００では定期的に呼出信号を送信する必要があるものの、携帯機１０側では、呼出信号あるいは認証要求信号を受信した時に応答信号あるいは認証信号を送信すればよいので、携帯機１０の電力消費を抑制することが可能となっている。ところが、何らかの理由で携帯機１０の電力消費量が急に増加して、電池が消耗する事態が散見されていた。そこで、このような問題を車両１側で対策するべく、本実施例の車載認証装置１００は次のような内部構造を備えている。
【００１３】
図２には、本実施例の車載認証装置１００の内部構造が示されている。図示されるように、本実施例の車載認証装置１００は、無線通信部１０１や、呼出信号送信部１０２、認証要求信号送信部１０３、認証実行部１０４、無認証信号状態検出部１０５、信号強度変更部１０６などを備えている。
尚、これらの「部」は、携帯機１０の電力消費の増加を車載認証装置１００側で対策するために車載認証装置１００が備える機能に着目して、車載認証装置１００の内部を便宜的に分類した抽象的な概念であり、車載認証装置１００がこれらの「部」に物理的に区分されていることを表すものではない。従って、これらの「部」は、ＣＰＵで実行されるコンピュータープログラムとして実現することもできるし、ＬＳＩを含む電子回路として実現することもできるし、更にはこれらの組合せとして実現することもできる。
【００１４】
無線通信部１０１は、車載認証装置１００のアンテナ１００ａに接続されており、アンテナ１００ａを駆動することによって電波を送信したり、電波を受信したりする。
呼出信号送信部１０２は、無線通信部１０１に向かって定期的に呼出信号を出力する。無線通信部１０１は、呼出信号送信部１０２から呼出信号を受け取ると、呼出信号に従ってアンテナ１００ａを駆動することによって、呼出信号の電波を無線によって送信する。また無線通信部１０１は、呼出信号を受け取った携帯機１０から応答信号の電波が戻ってきた場合は、アンテナ１００ａを用いて応答信号を受信して認証要求信号送信部１０３に出力する。
【００１５】
認証要求信号送信部１０３は、応答信号を無線通信部１０１から受け取ると、認証要求信号を無線通信部１０１に出力する。更に、認証要求信号送信部１０３は、認証要求信号を出力した旨を無認証信号状態検出部１０５に出力する。無線通信部１０１は、認証要求信号送信部１０３からの認証要求信号を受け取ると、認証要求信号に基づいてアンテナ１００ａを駆動することによって、認証要求信号の電波を無線で送信する。そして、その電波に対して携帯機１０から認証信号の電波が戻ってきた場合は、無線通信部１０１がアンテナ１００ａを用いて認証信号を受信して認証実行部１０４に出力する。
認証実行部１０４は、無線通信部１０１から認証信号を受け取ると、その旨を無認証信号状態検出部１０５に出力すると共に、受け取った認証信号に基づいて、その認証信号を送信した携帯機１０を認証する。
【００１６】
無認証信号状態検出部１０５は、認証要求信号送信部１０３および認証実行部１０４に接続されており、認証要求信号送信部１０３からは認証要求信号を出力した旨（従って、認証要求信号の電波を送信した旨）の情報を受け取り、認証実行部１０４からは認証信号を受信した旨の情報を受け取る。そして、これらの情報に基づいて、携帯機１０から応答信号は戻ってくるにも拘わらず、認証信号は戻ってこない状態（以下、無認証信号状態と呼ぶ）を検出する。すなわち、認証要求信号は携帯機１０からの応答信号を受信した場合に送信されるから、認証要求信号を送信したということは、電波の到達範囲内に携帯機１０が存在していて、その携帯機１０からの応答信号を受信したということに他ならない。そして、このような状況で認証要求信号を送信すれば、当然ながら、それに対する認証信号が戻ってくるものと予想されるが、それにも拘わらず、認証信号を受信できない状態を、無認証信号状態として検出する。
【００１７】
尚、ここでは、認証要求信号送信部１０３から無認証信号状態検出部１０５に対しては、認証要求信号を送信した旨の情報が出力されるものとして説明したが、認証要求信号を送信する前には必ず応答信号を受け取っている。そこで、認証要求信号を送信した旨の情報ではなく、応答信号を受け取った旨の情報を、認証要求信号送信部１０３から無認証信号状態検出部１０５に対して出力するようにしても良い。この場合は、無認証信号状態検出部１０５は、応答信号を受け取った旨の情報を認証要求信号送信部１０３から受け取っているにも拘わらず、認証信号を受け取った旨の情報が認証実行部１０４から届かない状態を、無認証信号状態として検出する。
あるいは、応答信号を受け取った旨の情報と、認証要求信号を送信した旨の情報とを、認証要求信号送信部１０３から無認証信号状態検出部１０５に対して出力するようにしても良い。
【００１８】
信号強度変更部１０６は、無認証信号状態が検出されたか否かに関する情報を無認証信号状態検出部１０５から受け取ると、認証要求信号の出力強度を変更するか否かを判断する。例えば、無認証信号状態が１以上の所定回数、連続した場合には、認証要求信号の出力強度を増加させるものと判断して、その旨を無線通信部１０１に出力する。また、信号強度変更部１０６は、認証要求信号を送信した旨の情報を認証要求信号送信部１０３から受け取るようにしておき、出力強度を増加させた状態での認証要求信号の送信回数が所定の上限回数に達した場合には、出力強度を通常の強度に復帰させるようにしても良い。
以上のような内部構造を備える本実施例の車載認証装置１００は、携帯機１０の電池が急に消耗することを防止することができる。これは、以下のような理由による。
【００１９】
Ｂ．携帯機１０での急な電池の消耗を防止可能な理由  ：
図３には、車載認証装置１００と認証する際の携帯機１０の動作が示されている。図３（ａ）に示されるように、携帯機１０は待受状態と起動状態とを繰り返しながら、車載認証装置１００との間で電波を送受信している。ここで、待受状態とは、図３（ｂ）に示したように、携帯機１０が内蔵する受信回路１１、信号処理回路１２、送信回路１３の中で、電波を受信するための受信回路１１は動作しているが、受信した電波を処理するための信号処理回路１２や、電波を送信するための送信回路１３は動作していない状態である。信号処理回路１２や送信回路１３は電波を受信して初めて動作させる必要が生じるので、電波を受信するまでは動作を停止させておくことによって、電池の消耗を抑制する。その一方で、車載認証装置１００からの呼出信号がいつ届いても受信可能なように、受信回路１１は動作させておく。このような状態が待受状態である。
尚、図３（ｂ）中で、受信回路１１が実線で表され、信号処理回路１２および送信回路１３が破線で示されているのは、受信回路１１は動作しているが、信号処理回路１２および送信回路１３は動作していないことを表している。
【００２０】
そして、図３（ａ）に示したように、待受状態で車載認証装置１００からの呼出信号を受信すると、携帯機１０は起動状態となる。図３（ｃ）に示すように、起動状態の携帯機１０は、信号処理回路１２および送信回路１３が動作しており、受信した呼出信号に対して所定の信号処理を行って、応答信号を送信することができる。そして、応答信号を送信した後は、図３（ａ）に示すように、携帯機１０は待受状態に復帰する。
その後、応答信号に対して車載認証装置１００から送信されてくる認証要求信号を受信すると、携帯機１０は再び起動状態となる。そして、認証要求信号に対して所定の信号処理を行って、認証信号を送信した後、待受状態に復帰する。
【００２１】
ここで、待受状態から起動状態に切り換わる際には、それまで停止していた信号処理回路１２や送信回路１３の動作が開始されるので、携帯機１０の内部での電流消費量が増加する。その結果、受信回路１１に供給される電流量が不足気味となって、電波の受信感度が低下していることが判明した。この現象は、携帯機１０の電池が新しい間は生じないので、長い間、見落とされてきたものと考えられる。しかし、電池が少し使用されて電流供給能力が低下し始めると、受信感度にして１ｄｂ程度の低下が見られるようになる。
そして、呼出信号（いわゆるＷａｋｅ信号）はデータ量が少なく短い信号なので、図３（ａ）に示したように、信号処理回路１２や送信回路１３が動作を開始する前（従って、受信感度が低下する前）に受信が完了する。これに対して、認証要求信号（いわゆるＣｈａｌｌｅｎｇｅ信号）はデータ量が多く長い信号なので、信号処理回路１２や送信回路１３が動作を開始する前には受信が完了しない。その結果、信号処理回路１２や送信回路１３が動作して、受信感度が低下した状態でも、受信が継続されることになることになって、場合によっては、認証要求信号が途中から受信できなくなる事態も起こり得る。
このような現象が生じても、多くの場合は携帯機１０の所有者が車両１に近付いてくるので問題が生じることはない。しかし、携帯機１０の所有者が車両１に近付いて来る途中で止まった場合には、携帯機１０の電力消費を大きく増加させて、急に電池を消耗させる事態が起こり得る。
【００２２】
図４には、携帯機１０の所有者が車両１に近付いてくる状況で、車載認証装置１００が携帯機１０を認証する様子が示されている。図４中に一点鎖線で示した範囲は、携帯機１０が待受状態の時に車載認証装置１００からの電波を受信可能な範囲を表しており、破線で示した範囲は、携帯機１０が起動状態の時に電波を受信可能な範囲を表している。上述したように、携帯機１０が起動状態になると待受状態の時よりも受信感度が低下するので、破線で示した起動状態の受信可能範囲は、一点鎖線で示した待受状態での受信可能範囲よりも狭くなる。
【００２３】
図４（ａ）に示したように、携帯機１０が待受状態での受信可能範囲内に入ると、車載認証装置１００からの呼出信号を受信可能となる。そして、呼出信号は短い信号なので直ぐに受信を完了して、携帯機１０は車載認証装置１００に向かって応答信号を送信する。すると、車載認証装置１００からは認証要求信号が送信されてくる。
ここで、携帯機１０の所有者が車両１に向かって近付いている場合は、車載認証装置１００からの呼出信号を受信してから、応答信号を送信して、その応答信号に対する認証要求信号を受信するまでに間に、携帯機１０は破線で示した起動状態での受信可能範囲内に移動する。このため、図４（ｂ）に示したように、携帯機１０は車載認証装置１００からの認証要求信号を受信して、その信号に対する認証信号を返信することができる。
【００２４】
これに対して、携帯機１０の所有者が、待受状態での受信可能範囲内までは車両１に近付いて来たものの、何らかの理由で、それ以上には近付いて来ない場合がある。図５には、一例として、携帯機１０の所有者が、待受状態での受信可能範囲内に入った処で立ち話を始めた場合が示されている。
このような場合、呼出信号のような短い信号については、図３（ａ）を用いて前述したように、携帯機１０の受信感度が低下する前に受信を完了することができる（図５（ａ）参照）。しかし、認証要求信号のような長い信号は、受信している途中で携帯機１０が起動状態に切り換わって、起動状態での認証要求信号の受信可能範囲外に携帯機１０が出てしまう（図５（ｂ）参照）。そのため、車載認証装置１００は、認証要求信号を送信したにも拘わらず認証信号が戻ってこないので、携帯機１０が居なくなったものと判断して、再び呼出信号を送信する。
【００２５】
すると、この呼出信号は短い信号なので、携帯機１０が待受状態から起動状態に切り換わる前に受信を完了することができ、携帯機１０からは応答信号が返信されてくる（図５（ａ）参照）。そこで、再び車載認証装置１００から認証要求信号を送信すると、認証要求信号は長い信号なので、信号を受信している途中で携帯機１０が待受状態から起動状態に切り換わって、受信を完了できなくなる。このため、携帯機１０からは認証信号が返信されて来ないので（図５（ｂ）参照）、車載認証装置１００は再び呼出信号を送信する。
このように、携帯機１０の所有者が、待受状態での受信可能範囲内までは車両１に近付いて来たが、それ以上には近付いて来ない状況では、車載認証装置１００から携帯機１０に呼出信号が何度も送信され、その度に携帯機１０が応答信号を返信する動作が繰り返される。その結果、携帯機１０の電池が急に消耗する事態が散見されていたものと考えられる。そこで、本実施例の車載認証装置１００は、こうした事態の回避するために、以下のような方法で携帯機１０を認証する。
【００２６】
Ｃ．携帯機認証処理  ：
図６〜図８には、本実施例の車載認証装置１００が携帯機１０を認証する携帯機認証処理のフローチャートが示されている。
図示されるように、携帯機認証処理では、呼出信号を送信するか否かを判断する（Ｓ１００）。呼出信号は一定周期で送信しているので、前回に呼出信号を送信してからの経過時間が所定時間に達していない場合は、呼出信号を送信しないと判断する（Ｓ１００：ｎｏ）。また、既に正規の携帯機１０を認証済みの場合も、呼出信号を送信しないと判断する（Ｓ１００：ｎｏ）。そして、呼出信号を送信しないと判断した場合は（Ｓ１００：ｎｏ）、同じ判断（Ｓ１００）を繰り返すことによって、呼出信号を送信すると判断するまで待機状態となる。
これに対して、前回に呼出信号を送信してから所定時間が経過しており、且つ、正規の携帯機１０を認証済みでも無かった場合は、呼出信号を送信すると判断して（Ｓ１００：ｙｅｓ）、所定の呼出信号を無線で送信する（Ｓ１０１）。
【００２７】
続いて、携帯機１０からの応答信号を受信したか否かを判断する（Ｓ１０２）。車載認証装置１００からの電波の到達範囲内に携帯機１０が存在していれば、呼出信号を送信してから一定時間内に応答信号が返信されてくる筈である。
そこで、一定時間内に応答信号を受信できなかった場合は（Ｓ１０２：ｎｏ）、出力増加フラグをＯＦＦに設定して（Ｓ１０３）、無認証信号回数Ｎを「０」に初期化した後、処理の先頭に戻って、呼出信号を送信するか否かを判断する（Ｓ１００）。ここで、出力増加フラグとは、認証要求信号を送信する際の信号出力を、標準の出力よりも増加させるか否かを示すフラグである。出力増加フラグは、通常の状態ではＯＦＦに設定されているが、後述する所定の条件が成立するとＯＮに設定される。また、無認証信号回数Ｎとは、無認証信号状態という特殊な状態が連続して発生した回数を計数するために用いる変数である。後述するように、本実施例の携帯機認証処理では、携帯機１０からの応答信号を受信すると、無認証信号状態の発生有無を検出して、無認証信号状態が連続して所定回数、発生した場合には、出力増加フラグをＯＮに設定している。このことから、呼出信号に対する応答信号が戻って来ない場合は（Ｓ１０２：ｎｏ）、無認証信号回数Ｎを計数する必要も無いし、出力増加フラグをＯＮにする必要も無いので、念のために出力増加フラグをＯＦＦに設定すると共に、無認証信号回数Ｎも「０」に初期化しておくのである（Ｓ１０３、Ｓ１０４）。
【００２８】
これに対して、応答信号を受信した場合は（Ｓ１０２：ｙｅｓ）、今度は、出力増加フラグがＯＮに設定されているか否かを判断する（Ｓ１０５）。上述したように、通常の状態では出力増加フラグはＯＦＦに設定されているので、Ｓ１０５では「ｎｏ」と判断して、認証要求信号の信号強度を標準強度に設定する（Ｓ１０６）。これに対して、出力増加フラグがＯＮに設定されていた場合は、Ｓ１０５では「ｙｅｓ」と判断して、認証要求信号の信号強度を、標準強度よりも大きな増加強度に設定する（Ｓ１０７）。尚、本実施例では、増加強度は標準強度よりも１ｄｂ程度、大きな強度に設定されている。
【００２９】
以上のようにして、認証要求信号の信号強度を設定したら（Ｓ１０６、Ｓ１０７）、設定された信号強度で認証要求信号を送信した後（Ｓ１０８）、携帯機１０からの認証信号を受信したか否かを判断する（Ｓ１０９）。認証要求信号は応答信号を受信した場合に送信される信号であり、応答信号を受信したと云うことは、近くに携帯機１０が存在している筈なので、通常は、認証要求信号を送信してから、ある程度の時間が経過する間に、携帯機１０からの認証信号が返信されてくる。
そして、認証信号を受信した場合は（Ｓ１０９：ｙｅｓ）、その認証信号に基づいて携帯機１０を認証するが、それに先立って、出力増加フラグをＯＦＦに設定し（図７のＳ１１０）、更に、無認証信号回数Ｎを「０」に初期化しておく（Ｓ１１１）。すなわち、後述するように、出力増加フラグおよび無認証信号回数Ｎは、認証信号が受信できない場合に用いられるフラグおよび変数なので、認証信号が受信できた場合は（Ｓ１０９：ｙｅｓ）、これらを用いる必要は無い。そこで、次回に用いる場合に備えて、出力増加フラグをＯＦＦに設定すると共に、無認証信号回数Ｎを「０」に初期化しておく（Ｓ１１０、Ｓ１１１）。
【００３０】
その後、受信した認証信号に基づいて、携帯機１０を認証する（Ｓ１１２）。そして、認証が通ったか否かを判断し（Ｓ１１３）、認証が通っていた場合は（Ｓ１１３：ｙｅｓ）、認証が通った旨を外部に出力した後（Ｓ１１４）、上述した携帯機認証処理を終了する。
これに対して、認証が通らなかった場合は（Ｓ１１３：ｎｏ）、認証した携帯機１０は正規の携帯機１０ではないと判断できるので、正規の携帯機１０を認証するべく、処理の先頭に戻って、再び、呼出信号を送信するか否かを判断する（図６のＳ１００）。
【００３１】
以上では、認証要求信号に対する認証信号を受信できた場合に（Ｓ１０９：ｙｅｓ）、その認証信号に基づいて携帯機１０を認証する手順ついて説明した。
しかし、認証要求信号を送信しても、認証信号を受信できない場合も起こり得る。すなわち、認証要求信号は応答信号が戻ってきた場合に送信される信号であり、応答信号が戻ってきたと言うことは、呼出信号が届く範囲に携帯機１０が存在していたということだから、通常であれば、認証信号を受信することができる。しかし、呼出信号を送信してから認証要求信号を送信するまでの間に携帯機１０が遠ざかった場合や、図５に例示したように、携帯機１０が呼出信号を受信した位置に留まっていた場合には、認証要求信号を送信しても認証信号を受信できない場合も起こり得る。このような状態が、無認証信号状態である。
そこで、認証要求信号を送信したにも拘わらず、認証信号を受信できなかった場合は（Ｓ１０９：ｎｏ）、無認証信号回数Ｎに「１」を加算する（図８のＳ１１５）。前述したように無認証信号回数Ｎとは、無認証信号状態が連続して発生した回数を計数する変数である。
【００３２】
続いて、無認証信号回数Ｎが、所定の閾値回数よりも大きいか否かを判断する（Ｓ１１６）。閾値回数は適切な値に設定することができるが、本実施例では３回に設定されている。
その結果、無認証信号回数Ｎが閾値回数に達していない場合は（Ｓ１１６：ｎｏ）、処理の先頭に戻って、再び、呼出信号を送信するか否かを判断する（図６のＳ１００）。そして、呼出信号を送信して（Ｓ１０１）、その呼出信号に対応する応答信号を受信できたら（Ｓ１０２：ｙｅｓ）、認証要求信号を送信して（Ｓ１０８）、認証信号を受信したか否かを判断する（Ｓ１０９）。その結果、認証信号を受信していなかった場合は（Ｓ１０９：ｎｏ）、無認証信号回数Ｎに再び「１」を加算した後（図８のＳ１１５）、無認証信号回数Ｎが閾値回数に達したか否かを判断する（Ｓ１１６）。
【００３３】
このような手順を繰り返す途中で、呼出信号に対する応答信号を受信できなくなった場合（図６のＳ１０２：ｎｏ）や、認証要求信号に対する認証信号を受信できた場合（Ｓ１０９：ｙｅｓ）は、出力増加フラグがＯＦＦに設定され（Ｓ１０３、図７のＳ１１０）、無認証信号回数Ｎも「０」に初期化される（Ｓ１０４、図７のＳ１１１）。
しかし、無認証信号回数Ｎが閾値回数に達した場合は（図８のＳ１１６：ｙｅｓ）、今度は、無認証信号回数Ｎが所定の上限回数に達したか否かを判断する（Ｓ１１７）。上限回数は、閾値回数よりも大きな適切な値に設定することができるが、本実施例では６回に設定されている。当然ながら、無認証信号回数Ｎが閾値回数に達しても、暫くの間は上限回数よりも小さいから、Ｓ１１７では「ｎｏ」と判断する。そして、この場合（Ｓ１１７：ｎｏ）は、出力増加フラグをＯＮに設定する（Ｓ１１８）。
こうして、出力増加フラグをＯＮに設定した後は（Ｓ１１８）、再び処理の先頭に戻って、前述した一連の手順を繰り返す。すなわち、呼出信号を送信するか否かを判断して（図６のＳ１００）、呼出信号を送信する（Ｓ１０１）。そして、呼出信号に対応する応答信号を受信できたら（Ｓ１０２：ｙｅｓ）、出力増加フラグがＯＮに設定されているか否かを判断する（Ｓ１０５）。その結果、出力増加フラグがＯＮに設定されていると判断して（Ｓ１０５：ｙｅｓ）、信号強度を増加強度に設定した後（Ｓ１０７）、増加強度で認証要求信号を送信する（Ｓ１０８）。
このように、標準よりも強い信号強度で認証要求信号を送信してやれば、図５に例示したような場合でも、携帯機１０の電池が急に消耗する事態を回避することができる。
【００３４】
図９には、標準よりも強い信号強度で認証要求信号を送信することで、携帯機１０の電池が急に消耗する事態が回避される様子が例示されている。図９（ａ）に示したように、携帯機１０が車両１に向かって移動してくると、待受状態での電波の受信可能範囲内まで移動して来た段階で、車載認証装置１００からの呼出信号を受信して、応答信号を返信する。この時、携帯機１０は待受状態から起動状態に切り換わるが、起動状態になると待受状態の時よりも電波の受信感度が低下する。このため、図９（ｂ）に示したように、携帯機１０の所有者が、待受状態での電波の受信可能範囲内まで移動して来た段階で立ち止まってしまうと、携帯機１０は車載認証装置１００からの認証要求信号を受信することができなくなる。
【００３５】
このような場合、本実施例の携帯機認証処理では、認証要求信号を送信したにも拘わらず（図６のＳ１０８）、認証信号を受信できないと判断して（Ｓ１０９：ｎｏ）、無認証信号回数Ｎに「１」を加算する（図８のＳ１１５）。その後は、従来と同様に、再び呼出信号を送信して、応答信号が戻ってくれば認証要求信号を送信するが（図６のＳ１００〜Ｓ１０８）、認証信号を受信できなかった場合には（Ｓ１０９：ｎｏ）、再び、無認証信号回数Ｎに「１」を加算する（図８のＳ１１５）。
そして、このようなことが繰り返されて、無認証信号回数Ｎが閾値回数に達すると（Ｓ１１６：ｙｅｓ）、出力増加フラグがＯＮに設定されて（Ｓ１１８）、認証要求信号が強い信号強度で送信されるようになる（図６のＳ１０７、Ｓ１０８）。
その結果、図９（ｃ）に示したように、認証要求信号の受信可能範囲が広がって、携帯機１０が起動状態にある場合でも認証要求信号を受信可能となり、認証信号を返信できるようになる。このため、認証信号が戻ってこないので車載認証装置１００が何度も呼出信号を送信し、その度に携帯機１０が応答信号を返信することで携帯機１０の電池が急に消耗する事態を回避することが可能となる。
【００３６】
また、認証要求信号の信号強度を増加させているにも拘わらず、呼出信号に対する応答信号は戻ってくるが、認証要求信号に対する認証信号が戻ってこない無認証信号状態が継続する場合は、携帯機１０の側で何らかのトラブルが生じて認証信号を送信できなくなっている可能性が高いと考えられる。このような場合に、大きな信号強度での認証要求信号の送信を繰り返すと、車載認証装置１００の電力消費量が増加してしまう。
【００３７】
そこで、本実施例の携帯機認証処理では、無認証信号回数Ｎが閾値回数に達して（図８のＳ１１６：ｙｅｓ）、出力増加フラグをＯＮに設定した後も（Ｓ１１８）、認証要求信号に対する認証信号を受信できなかった場合は、無認証信号回数Ｎの計数を継続する（Ｓ１１５）。
そして、無認証信号回数Ｎが上限回数に達したら（Ｓ１１７：ｙｅｓ）、タイマーに所定の送信休止時間を設定して（Ｓ１１９）、送信休止時間が経過したか否かを判断する（Ｓ１２０）。送信休止時間は、適切な時間に設定することができるが、本実施例では１分間に設定されている。
【００３８】
その結果、送信休止時間が経過していない場合は（Ｓ１２０：ｎｏ）、Ｓ１２０の判断を繰り返すことによって、待機状態となる。そして、送信休止時間が経過したら（Ｓ１２０：ｙｅｓ）、出力増加フラグをＯＦＦに設定し（Ｓ１２１）、無認証信号回数Ｎを「０」に初期化した後、再び処理の先頭に戻って、前述した一連の手順を繰り返す。
こうすれば、携帯機１０に何らかのトラブルが生じて、応答信号は送信できるが認証信号が送信できなくなった場合でも、車載認証装置１００の電力消費量が増加する事態を回避することができる。
【００３９】
尚、上述した実施例では、出力増加フラグがＯＮに設定されている間は、同じように強い信号強度で認証要求信号を送信するものとして説明した。しかし、出力増加フラグがＯＮに設定されている間は、通常よりも強い信号強度で認証要求信号を送信すると共に、認証要求信号を送信する度に信号強度を強くするようにしても良い。こうすれば、何度か認証要求信号を送信しているうちに、認証要求信号を確実に携帯機１０に受信させることができるので、携帯機１０の電池が急に消耗する事態を確実に回避することが可能となる。
【００４０】
Ｄ．変形例  ：
上述した本実施例の携帯機認証処理では、無認証信号回数Ｎが所定の閾値回数に達すると、認証要求信号の信号強度を強くするものとして説明した。しかし、認証要求信号の信号強度を強くするのではなく、呼出信号の信号強度を弱くすることによっても、携帯機１０の電池が急に消耗する事態を回避することができる。
【００４１】
図１０〜図１２には、上述した変形例の携帯機認証処理のフローチャートが示されている。この処理は、前述した本実施例の携帯機認証処理に対して、無認証信号回数Ｎが所定の閾値回数に達すると、出力減少フラグをＯＮに設定することによって呼出信号の信号強度を弱くする点や、ＯＮに設定した出力減少フラグをＯＦＦに戻す条件が大きく異なっている。以下では、これらの相違点を中心として、変形例の携帯機認証処理について簡単に説明する。
【００４２】
図１０に示されるように、変形例の携帯機認証処理でも、先ず始めに、呼出信号を送信するか否かを判断する（Ｓ１５０）。呼出信号は一定周期で送信しており、前回に呼出信号を送信してからの経過時間が所定時間に達していない場合や、既に正規の携帯機１０を認証済みの場合や、呼出信号を送信しないと判断して（Ｓ１５０：ｎｏ）、Ｓ１５０の判断を繰り返すことによって待機状態となる。
その結果、呼出信号を送信すると判断した場合は（Ｓ１５０：ｙｅｓ）、出力減少フラグがＯＮに設定されているか否かを判断する（Ｓ１５１）。ここで、出力減少フラグとは、呼出信号の信号強度を、通常よりも弱い強度で送信するか否かを示すフラグである。通常は、出力減少フラグはＯＦＦに設定されているので、Ｓ１５１では「ｎｏ」と判断して、信号強度を標準強度に設定する（Ｓ１５５）。
【００４３】
これに対して、出力減少フラグがＯＮに設定されていた場合は（Ｓ１５１：ｙｅｓ）、出力減少時間が経過したか否かを判断する（Ｓ１５２）。出力減少時間とは、呼出信号を通常よりは弱い信号強度で送信する状態を継続する時間であり、出力減少フラグがＯＮに設定される際に、出力減少時間も設定される。出力減少フラグをＯＮして、出力減少時間を設定する具体的な手順については、後ほど詳しく説明する。
出力減少時間が経過したか否かを判断した結果、未だ経過していないと判断した場合は（Ｓ１５２：ｎｏ）、呼出信号の信号強度を、通常よりも弱い強度（すなわち減少強度）に設定する（Ｓ１５３）。逆に、出力減少時間が経過したと判断した場合は（Ｓ１５２：ｙｅｓ）、出力減少フラグをＯＦＦに設定した後（Ｓ１５４）、呼出信号の信号強度を標準強度に設定する（Ｓ１５５）。
このように、出力減少フラグは、後述する所定条件が成立するとＯＮに設定されて、出力減少フラグがＯＮに設定されている間は、呼出信号が通常よりも弱い信号強度で送信されるが、所定の出力減少時間の経過後は、出力減少フラグはＯＦＦに戻される。その結果、呼出信号の信号強度も通常の強度に戻るようになっている。
【００４４】
以上のようにして、呼出信号の信号強度を設定したら（Ｓ１５３、Ｓ１５５）、設定された信号強度で呼出信号を送信した後（Ｓ１５６）、携帯機１０からの応答信号を受信したか否かを判断する（Ｓ１５７）。送信した呼出信号の電波の到達範囲内に携帯機１０が存在していれば、呼出信号を送信してから一定時間内に応答信号が返信されてくる筈である。そこで、一定時間内に応答信号を受信できなかった場合は（Ｓ１５７：ｎｏ）、処理の先頭に戻って、呼出信号を送信するか否かを判断する（Ｓ１５０）。
これに対して、携帯機１０からの応答信号を受信した場合は（Ｓ１５７：ｙｅｓ）、今度は、認証要求信号を送信する（Ｓ１５８）。尚、呼出信号の信号強度が標準強度あるいは減少強度の何れに設定されている場合も、認証要求信号は標準強度で送信される。
【００４５】
続いて、携帯機１０からの認証信号を受信したか否かを判断する（Ｓ１５９）。通常は、認証要求信号を送信してから、ある程度の時間が経過する間に、携帯機１０からの認証信号が返信されてくる。そして、認証信号を受信した場合は（Ｓ１５９：ｙｅｓ）、出力減少フラグをＯＦＦに設定し（図１１のＳ１６０）、無認証信号回数Ｎを「０」に初期化した後（Ｓ１６１）、認証信号に基づいて携帯機１０を認証する（Ｓ１６２）。そして、認証が通ったか否かを判断し（Ｓ１６３）、認証が通っていた場合は（Ｓ１６３：ｙｅｓ）、認証が通った旨を外部に出力した後（Ｓ１６４）、上述した変形例の携帯機認証処理を終了する。
これに対して、認証が通らなかった場合は（Ｓ１６３：ｎｏ）、処理の先頭に戻って、再び、呼出信号を送信するか否かを判断する（図１０のＳ１５０）。
【００４６】
以上では、認証要求信号に対する認証信号を受信できた場合に（Ｓ１５９：ｙｅｓ）、その認証信号に基づいて携帯機１０を認証する手順ついて説明した。
一方、認証要求信号を送信しても、認証信号を受信できなかった場合は（Ｓ１５９：ｎｏ）、前述した無認証信号状態が発生したことになるので、無認証信号回数Ｎに「１」を加算する（図１２のＳ１６５）。前述したように無認証信号回数Ｎとは、無認証信号状態が連続して発生した回数を表している。
続いて、無認証信号回数Ｎが、所定の閾値回数よりも大きいか否かを判断して（Ｓ１６６）、無認証信号回数Ｎが閾値回数に達していない場合は（Ｓ１６６：ｎｏ）、そのまま処理の先頭に戻って、呼出信号を送信するか否かを判断する（図１０のＳ１５０）。
【００４７】
これに対して、無認証信号回数Ｎが閾値回数に達していた場合は（Ｓ１６６：ｙｅｓ）、出力減少フラグをＯＮに設定した後（Ｓ１６７）、タイマーに出力減少時間を設定し（Ｓ１６８）、更に、無認証信号回数Ｎも「０」に初期化しておく（Ｓ１６９）。その後、処理の先頭に戻って、呼出信号を送信するか否かを判断する（図１０のＳ１５０）。
【００４８】
このように、認証要求信号を送信したにも拘わらず、認証信号が戻って来ない無認証信号状態を検出して、その無認証信号状態が連続して閾値回数、発生した場合には、呼出信号の信号強度を通常よりも弱くするようにしても、携帯機１０の電池が急に消耗する事態を回避することができる。
【００４９】
図１３には、呼出信号の信号強度を通常よりも弱くすることで、携帯機１０の電池が急に消耗する事態が回避される様子が例示されている。図１３に示した状況は、図９に示した状況と同様に、携帯機１０の所有者が車両１に向かって移動して来て、車載認証装置１００からの呼出信号を受信した段階で、立ち止まってしまった状況を表している。
図１３（ａ）に示すように、携帯機１０は、車載認証装置１００からの呼出信号を受信すると応答信号を返信するが、この時、携帯機１０は待受状態から起動状態に切り換わって、電波の受信感度が低下する。その結果、図１３（ｂ）に示すように、携帯機１０は、車載認証装置１００からの認証要求信号を受信することができなくなり、認証信号を返信しなくなる。
【００５０】
このような場合、変形例の携帯機認証処理でも、無認証信号状態が発生したものと判断して（図１０のＳ１５９：ｎｏ）、無認証信号回数Ｎに「１」を加算する（図１２のＳ１６５）。その後は、従来と同様に、再び呼出信号を送信して、応答信号が戻ってくれば認証要求信号を送信するが（図１０のＳ１５０〜Ｓ１５８）、認証信号を受信できなかった場合には（Ｓ１５９：ｎｏ）、再び、無認証信号回数Ｎに「１」を加算する（図１２のＳ１６５）。このようなことが繰り返されて、無認証信号回数Ｎが閾値回数に達したら（Ｓ１６６：ｙｅｓ）、出力減少フラグがＯＮに設定されて（Ｓ１６７）、呼出信号が通常よりも弱い信号強度で送信される（図１０のＳ１５３、Ｓ１５６）。
その結果、図１３（ｃ）に示したように、車載認証装置１００からの呼出信号の受信可能範囲が狭くなって、携帯機１０が呼出信号を受信できなくなり、応答信号を返信しなくなる。そして、このような状況が、出力減少時間が経過するまで継続されるので、車載認証装置１００が呼出信号を送信する度に携帯機１０が応答信号を返信して、携帯機１０の電池が急に消耗する事態を回避することが可能となる。
【００５１】
また、変形例の携帯機認証処理では、図１３（ｃ）に示すように、車載認証装置１００は、信号強度が弱くなっても呼出信号を一定周期で送信し続けている。このため、携帯機１０を持った所有者が、再び車両１に向かって近付いて来て、呼出信号の受信可能範囲内に入った場合には、携帯機１０の接近を直ちに認識して、認証要求信号を送信することによって、携帯機１０の認証を開始することが可能となる。
【００５２】
以上、本実施例および変形例について説明したが、本発明は上述した実施例および変形例に限られるものではなく、その要旨を逸脱しない範囲において種々の態様で実施することができる。
【符号の説明】
【００５３】
１…車両、      １０…携帯機、      １１…受信回路、    １２…信号処理回路、
１３…送信回路、    １００…車載認証装置、    １０１…無線通信部、
１０２…呼出信号送信部、    １０３…認証要求信号送信部、
１０４…認証実行部、        １０５…無認証信号状態検出部、
１０６…信号強度変更部。
【図１】
2019004202.tif 000003
【図２】
2019004202.tif 000004
【図３】
2019004202.tif 000005
【図４】
2019004202.tif 000006
【図５】
2019004202.tif 000007
【図６】
2019004202.tif 000008
【図７】
2019004202.tif 000009
【図８】
2019004202.tif 000010
【図９】
2019004202.tif 000011
【図１０】
2019004202.tif 000012
【図１１】
2019004202.tif 000013
【図１２】
2019004202.tif 000014
【図１３】
2019004202.tif 000015